(57)【要約】【課題】患者状態検出機器から呼び出しが行われたことを患者に悟られないようにしつつ、患者状態検出機器の動作確認を簡単に行うことができるようにする。【解決手段】マットセンサが壁埋込形子機に接続されたことを検出する接続検出部１４と、マットセンサからの呼び出しが壁埋込形子機に対する接続後の最初の呼び出しか否かを判定する呼出判定部１６と、最初の呼び出しの場合にのみ呼出確認動作を行うように制御する呼出確認動作制御部１７とを備え、壁埋込形子機に接続してマットセンサの使用を開始する際の動作確認時に行われる最初の呼び出しについては、壁埋込形子機の呼出確認灯を点灯させることにより動作確認を簡単に行うことができるようにする一方、患者がマットセンサを検出状態にしたときに行われる呼び出しについては、それが患者に悟られないように呼出確認灯の消灯を維持する。【選択図】図２
2020014798.tif 000002
【特許請求の範囲】
【請求項１】
ナースコールの呼び出しが行われた際に、呼び出しが行われていることを確認できるようにするための呼出確認動作を制御する装置であって、
患者の状態に応じて医療従事者を呼び出すための患者状態検出機器がナースコールシステムに接続されたことを検出する接続検出部と、
上記接続検出部により上記患者状態検出機器が上記ナースコールシステムに接続されたことが検出された後、上記患者状態検出機器からの呼び出しが発生した場合に、その呼び出しが上記ナースコールシステムに対する上記患者状態検出機器の接続後の最初の呼び出しか否かを判定する呼出判定部と、
上記呼出判定部により上記最初の呼び出しであると判定された場合には上記呼出確認動作を行う一方、上記呼出判定部により上記最初の呼び出しではないと判定された場合には上記呼出確認動作を行わないように制御する呼出確認動作制御部とを備えたことを特徴とする呼出確認動作制御装置。
【請求項２】
上記呼出確認動作制御部は、患者の意思に基づく操作によって医療従事者を呼び出すためのナースコール子機からの呼び出しが発生した場合には、その呼び出しが上記ナースコールシステムに対する上記ナースコール子機の接続後の何回目の呼び出しであるかにかかわらず、上記呼出確認動作を行うように制御することを特徴とする請求項１に記載の呼出確認動作制御装置。
【発明の詳細な説明】
【技術分野】
【０００１】
本発明は、呼出確認動作制御装置に関し、特に、ナースコールの呼び出しが行われたときに、呼び出しが行われていることを確認できるようにするための呼出確認動作を制御する装置に用いて好適なものである。
【背景技術】
【０００２】
一般に、病院などで用いられているナースコールシステムでは、患者がナースコール子機の呼出ボタンを押下することによって医療従事者を呼び出したときに、呼び出しが確かに行われていることを患者が確認できるように、ベッドサイドの壁面等に設置された呼出確認灯（呼出表示器ともいう）を点灯または点滅（以下、単に点灯という）させることが行われている。
【０００３】
なお、ナースコール子機の中には、患者の意思で医療従事者を呼び出すためのものとは異なり、患者の状態に応じて医療従事者を呼び出すためのもの（以下、患者状態検出機器という）が存在する。その一例として、患者の離床や徘徊などを検出するためのマットセンサがある。このような患者状態検出機器を用いる場合、呼び出しが行われたときに、呼出確認灯を点灯させるのは好ましくない。患者が呼び出しを行ってしまったと萎縮したり、それ以降は患者がマットセンサを避けるような行動を取ったりするケースが生じてしまうからである。
【０００４】
このような事態を解消するために、患者状態検出機器から呼び出しが行われたときに、呼出確認灯を点灯させないようにする技術が考案されている（例えば、特許文献１の段落[００１１]参照）。
【先行技術文献】
【特許文献】
【０００５】
【特許文献１】特開２０１０−２３３６２９号公報
【発明の概要】
【発明が解決しようとする課題】
【０００６】
しかしながら、患者状態検出機器から呼び出しが行われたときに、呼出確認灯を点灯させないようにした場合には、以下のような問題があった。すなわち、患者状態検出機器の使用を開始する際の動作確認を医療従事者が行うとき、患者状態検出機器を検出状態にしつつ、呼び出しが行われていることを、室外の廊下灯に設けられた表示器の動作で確認したり、ナースセンタに設置されたナースコール親機の動作で確認したりしなければならず、非常に面倒であった。
【０００７】
本発明は、このような問題を解決するために成されたものであり、患者状態検出機器から呼び出しが行われたことを患者に悟られないようにするとともに、患者状態検出機器の使用を開始する際の動作確認を簡単に行うことができるようにすることを目的とする。
【課題を解決するための手段】
【０００８】
上記した課題を解決するために、本発明では、患者の状態に応じて医療従事者を呼び出すための患者状態検出機器がナースコールシステムに接続されたことを検出した後、患者状態検出機器からの呼び出しが発生した場合に、その呼び出しがナースコールシステムに対する患者状態検出機器の接続後の最初の呼び出しか否かを判定し、最初の呼び出しである場合には呼出確認動作を行う一方、最初の呼び出しではない場合には呼出確認動作を行わないようにしている。
【発明の効果】
【０００９】
上記のように構成した本発明によれば、ナースコールシステムに接続して患者状態検出機器の使用を開始する際に、動作確認を行うために医療従事者が患者状態検出機器を検出状態にすると、患者状態検出機器から呼び出しが行われる。このとき行われる呼び出しは、患者状態検出機器をナースコールシステムに接続した後の最初の呼び出しであるため、呼出確認動作が行われる。このため、医療従事者は、呼出確認動作の状態により、患者状態検出機器の動作確認を簡単に行うことができる。一方、患者状態検出機器の使用を開始した後に、患者が患者状態検出機器を検出状態にしたときに行われる呼び出しは、患者状態検出機器をナースコールシステムに接続した後の最初の呼び出しではないため、呼出確認動作が行われない。このため、患者状態検出機器から呼び出しが行われたことが患者に認識されることはない。以上のように、本発明によれば、患者状態検出機器から呼び出しが行われたことを患者に悟られないようにするとともに、患者状態検出機器の使用を開始する際の動作確認を簡単に行うことができる。
【図面の簡単な説明】
【００１０】
【図１】本実施形態による呼出確認動作制御装置を適用したナースコールシステムの全体構成例を示す図である。
【図２】本実施形態によるナースコール親機（呼出確認動作制御装置）の機能構成例を示すブロック図である。
【図３】ナースコール親機の動作例を示すフローチャートである。
【図４】ナースコール親機の動作例を示すフローチャートである。
【発明を実施するための形態】
【００１１】
以下、本発明の一実施形態を図面に基づいて説明する。図１は、本実施形態による呼出確認動作制御装置を適用したナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１２】
図１に示すように、本実施形態のナースコールシステムは、ナースコール親機１、制御機２、廊下灯３、壁埋込形子機４、ハンド形子機５およびマットセンサ６を備えて構成されている。
【００１３】
ナースコール親機１は、ハンド形子機５およびマットセンサ６からの呼び出しを医療従事者に報知し、医療従事者がその呼び出しに対する応答の操作を行うためのものであり、例えばナースセンタに設置される。また、ナースコール親機１は、本実施形態の呼出確認動作制御装置に相当するものであり、壁埋込形子機４が備える呼出確認灯４ｃに対する呼出確認動作の制御も行う。
【００１４】
制御機２は、ナースコール親機１と廊下灯３との間に接続され、通話やデータの送受信に関する制御を行う。
【００１５】
廊下灯３は、病院の各病室の入口付近外部に設置される。この廊下灯３は、表示装置を備え、病室内の患者名が表示装置に表示されるとともに、病室内の患者がハンド形子機５を用いて医療従事者の呼び出しを行うと、呼び出しが行われたことが表示装置に表示されるようになっている。また、患者の所定の状態がマットセンサ６により検出されて呼び出しが行われた場合も、呼び出しが行われたことが表示装置に表示されるようになっている。
【００１６】
壁埋込形子機４は、病室の各ベッドサイドの壁に埋め込み設置される。この壁埋込形子機４は、廊下灯３に接続されている。また、壁埋込形子機４は、ハンド形子機５を接続するための第１接続端子４ａと、マットセンサ６を接続するための第２接続端子４ｂと、ＬＥＤなどを用いた呼出確認灯４ｃとを備えている。呼出確認灯４ｃは、ハンド形子機５およびマットセンサ６から呼び出しが行われた際に、呼び出しが行われていることを確認できるようにするために点灯または点滅（以下、単に点灯という）する。
【００１７】
本実施形態では、呼出確認灯４ｃの動作は、ハンド形子機５から呼び出しが行われた場合と、マットセンサ６から呼び出しが行われた場合とで異なる。すなわち、ハンド形子機５から呼び出しが行われた場合は、呼び出しが行われる毎に呼出確認灯４ｃが点灯する。一方、マットセンサ６から呼び出しが行われた場合については、マットセンサ６が壁埋込形子機４に接続された後で最初の呼び出しが行われたときは呼出確認灯４ｃが点灯する一方、２回目以降の呼び出しが行われたときは呼出確認灯４ｃが点灯しない。つまり、呼出確認灯４ｃは消灯したままである。
【００１８】
マットセンサ６が壁埋込形子機４に接続された後の最初の呼び出し時に呼出確認灯４ｃを点灯させるのは、マットセンサ６を接続した医療従事者がマットセンサ６の動作確認をする際に、呼び出しが正常に行われているか否かをその場で簡単に確認できるようにするためである。一方、２回目以降の呼び出し時に呼出確認灯４ｃを消灯したままにしておくのは、動作確認後にマットセンサ６を実使用する際に、患者の所定の状態が検出されて呼び出しが行われていることを患者に悟られないようにするためである。この呼出確認灯４ｃの表示は、ナースコール親機１からの指令によって制御される。
【００１９】
なお、図示はしていないが、壁埋込形子機４は、患者が看護師を呼び出すための呼出ボタン、患者が医療従事者と会話を行う際に使用するマイクおよびスピーカを備えていてもよい。また、壁埋込形子機４は、呼び出しに応じて行われている報知処理を停止するための復旧ボタンを備えていてもよい。
【００２０】
ハンド形子機５は、壁埋込形子機４の第１接続端子４ａに接続される。ハンド形子機５は、患者の意思に基づく操作によって医療従事者を呼び出すためのナースコール子機であり、患者が医療従事者を呼び出すための呼出ボタンと、患者が医療従事者と会話を行う際に使用するマイクおよびスピーカとを備えている。なお、壁埋込形子機４がマイクおよびスピーカを備える場合、ハンド形子機５に代えて、マイクおよびスピーカを備えないもの（例えば、握り押しボタン）を用いてもよい。
【００２１】
患者がハンド形子機５の呼出ボタンを押下すると、医療従事者に対する呼び出しが発生し、その呼出信号が壁埋込形子機４、廊下灯３および制御機２を介してナースコール親機１に送信される。この呼出信号の中には、呼び出しを行ったハンド形子機５の子機ＩＤと、当該ハンド形子機５が接続されている壁埋込形子機４の子機ＩＤとが含まれている。そして、医療従事者がナースコール親機１において応答の操作を行うと、ナースコール親機１とハンド形子機５との間で通話を行うことが可能となる。
【００２２】
なお、医療従事者が所持する携帯端末を携帯型ナースコール親機として用いるようになされたナースコールシステムの場合、ナースコール親機１から携帯端末に呼出信号が転送されて、携帯端末に対する呼び出しも行われる。そして、医療従事者が携帯端末において応答の操作を行うと、携帯端末とハンド形子機５との間で通話を行うことが可能となる。
【００２３】
マットセンサ６は、壁埋込形子機４の第２接続端子４ｂに接続される。マットセンサ６は、患者の意思とは関係なく、患者の状態に応じて医療従事者を呼び出すための患者状態検出機器の一例である。例えば、マットセンサ６は、重量センサを備えて構成され、患者が使用するベッドの周辺の床に敷いて使用される。そして、患者がマットセンサ６に乗ったことを検知すると、患者の徘徊、離床またはベッドからの転落を知らせるための呼び出しが発生し、その呼出信号が壁埋込形子機４、廊下灯３および制御機２を介してナースコール親機１に送信される。この呼出信号の中には、呼び出しを行ったマットセンサ６の子機ＩＤと、当該マットセンサ６が接続されている壁埋込形子機４の子機ＩＤとが含まれている。
【００２４】
また、マットセンサ６は、患者が使用するベッドのマットレス（または敷布団）の上に敷いて使用されることもある。この場合、患者がマットセンサ６に乗らなくなったことを検知すると、患者の徘徊、離床またはベッドからの転落を知らせるための呼び出しが発生し、その呼出信号が壁埋込形子機４、廊下灯３および制御機２を介してナースコール親機１に送信される。この呼出信号の中には、呼び出しを行ったマットセンサ６の子機ＩＤと、当該マットセンサ６が接続されている壁埋込形子機４の子機ＩＤとが含まれている。
【００２５】
図２は、本実施形態によるナースコール親機１（呼出確認動作制御装置）の機能構成例を示すブロック図である。図２に示すように、本実施形態によるナースコール親機１は、呼出受付部１１、呼出実行部１２、応答受付部１３、接続検出部１４、呼出状況管理部１５、呼出判定部１６および呼出確認動作制御部１７を備えている。
【００２６】
なお、上記各機能ブロック１１〜１７は、ハードウェア構成、ＤＳＰ（Digital Signal Processor）、ソフトウェアの何れによっても実現することが可能である。例えばソフトウェアによって実現する場合、上記各機能ブロック１１〜１７は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２７】
呼出受付部１１は、ハンド形子機５およびマットセンサ６からの呼び出しを受け付ける。すなわち、呼出受付部１１は、ハンド形子機５およびマットセンサ６から壁埋込形子機４、廊下灯３および制御機２を介して送られてくる呼出信号を受信する。そして、受信した呼出信号によって伝えられる子機情報（呼び出しを行ったハンド形子機５またはマットセンサ６を特定するための子機ＩＤなど）を呼出実行部１２に通知する。
【００２８】
また、呼出受付部１１は、呼び出しがハンド形子機５からのものであった場合（呼出信号の中にハンド形子機５の子機ＩＤが含まれる場合）は、ハンド形子機５からの呼び出しが行われたことを呼出確認動作制御部１７に通知する。また、呼出受付部１１は、呼び出しがマットセンサ６からのものであった場合（呼出信号の中にマットセンサ６の子機ＩＤが含まれる場合）は、そのマットセンサ６が接続されている壁埋込形子機４の子機ＩＤを呼出状況管理部１５および呼出判定部１６に通知する。
【００２９】
呼出実行部１２は、呼出受付部１１がハンド形子機５またはマットセンサ６からの呼び出しを受け付けたときに、所定の呼出動作を実行する。すなわち、呼出実行部１２は、呼出受付部１１から通知される子機情報に基づいて、患者情報記憶部（図示せず）を参照することにより、呼び出しが行われたハンド形子機５またはマットセンサ６に対応する患者を特定する。そして、特定した患者の患者情報（例えば、氏名、部屋番号、ベッド番号など）のポップアップ画面を生成してナースコール親機１のディスプレイに表示させるとともに、呼出音をスピーカから出力する。なお、医療従事者が所持する携帯端末を携帯型ナースコール親機として用いるようになされたナースコールシステムの場合、呼出実行部１２は、携帯端末に対する呼び出しも実行する。
【００３０】
呼出受付部１１がハンド形子機５またはマットセンサ６からの呼び出しを受け付けた場合、呼出確認動作制御部１７により壁埋込形子機４の呼出確認灯４ｃの表示制御（呼出確認動作）も行われる。なお、これについての詳細は後述する。
【００３１】
応答受付部１３は、ナースコール親機１からの応答を受け付けて、所定の応答動作を実行する。例えば、医療従事者が呼び出しに応答するためにナースコール親機１のハンドセットをオフフックすると、オフフックされたことを応答受付部１３が受け付けて、上述した呼出実行部１２による呼出動作および呼出確認動作制御部１７による呼出確認動作を停止させる。
【００３２】
なお、医療従事者の携帯端末に呼び出しを行うナースコールシステムの場合、応答受付部１３は携帯端末からの応答も受け付けて、上記と同様の応答動作を行う。また、壁埋込形子機４が復旧ボタンを備える場合、応答受付部１３は、壁埋込形子機４から送られてくる復旧信号を受け付けて、上記の応答動作と同様に呼出実行部１２による呼出動作および呼出確認動作制御部１７による呼出確認動作を停止させる。
【００３３】
接続検出部１４は、マットセンサ６がナースコールシステムに接続されたこと、つまり壁埋込形子機４に接続されたことを検出する。壁埋込形子機４の第２接続端子４ｂには、これにプラグが接続されたか否かを電気的に検出するセンサが備えられている。第２接続端子４ｂにマットセンサ６のプラグが接続されると、そのことが壁埋込形子機４のセンサにより検出され、接続信号が廊下灯３および制御機２を介してナースコール親機１に送信される。この接続信号の中には、マットセンサ６の子機ＩＤと、当該マットセンサ６が接続された壁埋込形子機４の子機ＩＤとが含まれている。ナースコール親機１の接続検出部１４は、この接続信号を受信することにより、マットセンサ６が壁埋込形子機４に接続されたことを検出する。
【００３４】
一方、第２接続端子４ｂからマットセンサ６のプラグが抜かれると、そのことが壁埋込形子機４のセンサにより検出され、離脱信号が廊下灯３および制御機２を介してナースコール親機１に送信される。この離脱信号の中には、マットセンサ６の子機ＩＤと、当該マットセンサ６が接続された壁埋込形子機４の子機ＩＤとが含まれている。ナースコール親機１の接続検出部１４は、この離脱信号を受信することにより、マットセンサ６の壁埋込形子機４に対する接続が解除されたことを検出する。
【００３５】
呼出状況管理部１５は、壁埋込形子機４の子機ＩＤごとに、マットセンサ６からの呼出状況を管理する。例えば、呼出状況管理部１５は、マットセンサ６からの呼び出しが行われたか否かを示すフラグ情報（呼び出しが既に行われた場合は値が“１”、呼び出しがまだ行われていない場合は値が“０”の情報）を記憶する。そして、呼出状況管理部１５は、マットセンサ６からの呼び出しの有無に応じて、フラグ情報の値を更新する。
【００３６】
具体的には、呼出状況管理部１５は、接続検出部１４が接続信号を受信したときに、その接続信号に含まれる壁埋込形子機４の子機ＩＤに関連づけてフラグ情報を記憶部にセットし、その初期値として“０”を記憶させる。その後、呼出受付部１１がマットセンサ６からの呼出信号を受信したときに、その呼出信号に含まれる壁埋込形子機４の子機ＩＤに対応するフラグ情報の値を“１”に更新する。それ以降、フラグ情報の値は“１”に維持される。なお、接続検出部１４が離脱信号を受信した場合、その離脱信号に含まれる壁埋込形子機４の子機ＩＤに対応するフラグ情報を記憶部から消去する。
【００３７】
なお、ここでは、マットセンサ６が接続された壁埋込形子機４についてのみフラグ情報を呼出状況管理部１５にて管理する例について説明したが、マットセンサ６が接続されていない壁埋込形子機４も含めて全ての壁埋込形子機４に関するフラグ情報を呼出状況管理部１５にて管理するようにしてもよい。この場合、呼出状況管理部１５は、全ての壁埋込形子機４の子機ＩＤに関連付けてフラグ情報を記憶部に記憶し、全てのフラグ情報に初期値として“０”を記憶させておく。そして、呼出受付部１１がマットセンサ６からの呼出信号を受信したときに、その呼出信号に含まれる壁埋込形子機４の子機ＩＤに対応するフラグ情報の値を“１”に更新する。そして、接続検出部１４が離脱信号を受信したときに、その離脱信号に含まれる壁埋込形子機４の子機ＩＤに対応するフラグ情報の値を“０”に更新する。
【００３８】
呼出判定部１６は、接続検出部１４によりマットセンサ６が壁埋込形子機４に接続されたことが検出された後、マットセンサ６からの呼び出しが発生した場合に、その呼び出しが壁埋込形子機４に対するマットセンサ６の接続後の最初の呼び出しか否かを判定する。すなわち、呼出判定部１６は、壁埋込形子機４の子機ＩＤが呼出受付部１１から通知されることにより、マットセンサ６からの呼び出しが発生したことを検知した場合、その壁埋込形子機４の子機ＩＤに対応して呼出状況管理部１５により記憶されているフラグ情報の値を確認することにより、壁埋込形子機４に対するマットセンサ６の接続後の最初の呼び出しか否かを判定する。ここで、呼出判定部１６は、フラグ情報の値が“０”であれば最初の呼び出しであると判定し、フラグ情報の値が“１”であれば最初の呼び出しではないと判定する。
【００３９】
呼出確認動作制御部１７は、マットセンサ６からの呼び出しが発生した場合において、呼出判定部１６により最初の呼び出しであると判定された場合には、壁埋込形子機４の呼出確認灯４ｃに対する呼出確認動作（呼出確認灯４ｃの点灯）を行うように制御する。すなわち、呼出確認動作制御部１７は、呼出発生元の壁埋込形子機４に点灯指令信号を送信することにより、呼出確認灯４ｃを点灯させる。一方、呼出判定部１６により最初の呼び出しではないと判定された場合には、呼出確認動作制御部１７は、呼出確認灯４ｃに対する呼出確認動作を行わないように制御する。すなわち、呼出確認動作制御部１７は、壁埋込形子機４に点灯指令信号は送信せず、呼出確認灯４ｃの消灯状態を維持する。
【００４０】
また、呼出確認動作制御部１７は、ハンド形子機５からの呼び出しが発生した場合には、その呼び出しが壁埋込形子機４に対するハンド形子機５の接続後の何回目の呼び出しであるかにかかわらず、呼出確認灯４ｃに対する呼出確認動作を行うように制御する。すなわち、呼出確認動作制御部１７は、ハンド形子機５からの呼び出しが発生したことが呼出受付部１１から通知された場合には、呼出発生元の壁埋込形子機４に点灯指令信号を送信することにより、呼出確認灯４ｃを点灯させる。
【００４１】
また、呼出確認動作制御部１７は、応答受付部１３がナースコール親機１からの応答を受け付けた場合、呼出発生元の壁埋込形子機４に消灯指令信号を送信して、呼出確認灯４ｃを消灯させる。医療従事者の携帯端末に呼び出しを行うナースコールシステムにおいて応答受付部１３が携帯端末からの応答も受け付けた場合や、壁埋込形子機４が復旧ボタンを備える場合において応答受付部１３が壁埋込形子機４から復旧信号を受信した場合も同様である。
【００４２】
図３および図４は、上記のように構成したナースコール親機１の動作例を示すフローチャートである。図３は、主に接続検出部１４および呼出状況管理部１５により実行される動作例を示すものであり、ナースコール親機１の動作中は常時実行されている。図４は、主に呼出状況管理部１５、呼出判定部１６および呼出確認動作制御部１７により実行される動作例を示すものであり、ハンド形子機５またはマットセンサ６からの呼び出しが発生するごとに実行される。
【００４３】
図３において、まず、接続検出部１４は、マットセンサ６の接続信号を受信したか否かを判定する（ステップＳ１）。接続検出部１４がマットセンサ６の接続信号を受信していない場合（ステップＳ１にてＮｏ）、処理はステップＳ３に遷移する。一方、接続検出部１４は、マットセンサ６の接続信号を受信した場合（ステップＳ１にてＹｅｓ）、当該接続信号に含まれる子機ＩＤで示される壁埋込形子機４にマットセンサ６が接続されたことを検出し、その子機ＩＤを呼出状況管理部１５に通知する。この場合、呼出状況管理部１５は、接続検出部１４から通知された壁埋込形子機４の子機ＩＤに関連づけてフラグ情報を記憶部にセットし、その初期値として“０”を記憶させる（ステップＳ２）。
【００４４】
その後、接続検出部１４は、マットセンサ６の離脱信号を受信したか否かを判定する（ステップＳ３）。接続検出部１４がマットセンサ６の離脱信号を受信していない場合（ステップＳ３にてＮｏ）、処理はステップＳ１に戻る。一方、接続検出部１４は、マットセンサ６の離脱信号を受信した場合（ステップＳ３にてＹｅｓ）、当該離脱信号に含まれる子機ＩＤで示される壁埋込形子機４からマットセンサ６が外されたことを検出し、その子機ＩＤを呼出状況管理部１５に通知する。この場合、呼出状況管理部１５は、接続検出部１４から通知された壁埋込形子機４の子機ＩＤに対応するフラグ情報を記憶部から消去する（ステップＳ４）。その後、処理はステップＳ１に戻る。
【００４５】
図４において、まず、呼出受付部１１は、呼出信号を受信したか否かを判定する（ステップＳ１１）。呼出信号を受信していない場合は（ステップＳ１１にてＮｏ）、ステップＳ１１の判定を繰り返す。一方、呼出受付部１１は、呼出信号を受信した場合（ステップＳ１１にてＹｅｓ）、それがマットセンサ６からの呼び出しであるか否かを判定する（ステップＳ１２）。
【００４６】
ここで、マットセンサ６からの呼び出しではない、つまりハンド形子機５からの呼び出しであると呼出受付部１１にて判定した場合（ステップＳ１２にてＮｏ）、呼出受付部１１はそのことを呼出確認動作制御部１７に通知する。呼出確認動作制御部１７は、この通知を受けて、呼出発生元の壁埋込形子機４に点灯指令信号を送信することにより、呼出確認灯４ｃを点灯させる（ステップＳ１５）。
【００４７】
一方、マットセンサ６からの呼び出しであると呼出受付部１１にて判定した場合（ステップＳ１２にてＹｅｓ）、呼出受付部１１は、呼出信号に含まれている壁埋込形子機４の子機ＩＤを呼出状況管理部１５および呼出判定部１６に通知する。呼出判定部１６は、通知された壁埋込形子機４の子機ＩＤに対応して呼出状況管理部１５により記憶されているフラグ情報の値を確認することにより、壁埋込形子機４に対するマットセンサ６の接続後の最初の呼び出しか否かを判定する（ステップＳ１３）。
【００４８】
最初の呼び出しではないと呼出判定部１６により判定された場合（ステップＳ１３にてＮｏ）、図４に示すフローチャートの処理は終了する。一方、最初の呼び出しであると呼出判定部１６により判定された場合（ステップＳ１３にてＹｅｓ）、呼出状況管理部１５は、呼出受付部１１より通知された壁埋込形子機４の子機ＩＤに対応するフラグ情報の値を“１”に更新する（ステップＳ１４）。また、呼出確認動作制御部１７は、呼出発生元の壁埋込形子機４に点灯指令信号を送信することにより、呼出確認灯４ｃを点灯させる（ステップＳ１５）。
【００４９】
その後、応答受付部１３がナースコール親機１での応答を受け付けたか否かを判定する（ステップＳ１６）。応答を受け付けていない場合は（ステップＳ１６にてＮｏ）、ステップＳ１６の判定を繰り返す。一方、応答受付部１３がナースコール親機１での応答を受け付けた場合（ステップＳ１６にてＹｅｓ）、呼出確認動作制御部１７は、呼出発生元の壁埋込形子機４に消灯指令信号を送信して、呼出確認灯４ｃを消灯させる（ステップＳ１７）。これにより、図４に示すフローチャートの処理は終了する。
【００５０】
以上詳しく説明したように、本実施形態では、マットセンサ６が壁埋込形子機４に接続されたことを検出した後、マットセンサ６からの呼び出しが発生した場合に、その呼び出しが壁埋込形子機４に対するマットセンサ６の接続後の最初の呼び出しか否かを判定する。そして、最初の呼び出しである場合には壁埋込形子機４の呼出確認灯４ｃに対する呼出確認動作を行う一方、最初の呼び出しではない場合には呼出確認灯４ｃに対する呼出確認動作を行わないようにしている。
【００５１】
このように構成した本実施形態によれば、壁埋込形子機４に接続してマットセンサ６の使用を開始する際に、動作確認を行うために医療従事者がマットセンサ６を検出状態にすると、マットセンサ６からの呼び出しが行われる。このとき行われる呼び出しは、マットセンサ６を壁埋込形子機４に接続した後の最初の呼び出しであるため、壁埋込形子機４の呼出確認灯４ｃに対する呼出確認動作が行われる。このため、医療従事者は、呼出確認灯４ｃの動作状態により、マットセンサ６の動作確認を簡単に行うことができる。
【００５２】
一方、マットセンサ６の使用を開始した後に、患者がマットセンサ６を検出状態にしたときに行われる呼び出しは、マットセンサ６を壁埋込形子機４に接続した後の最初の呼び出しではないため、呼出確認灯４ｃに対する呼出確認動作が行われない。このため、マットセンサ６から呼び出しが行われたことが患者に認識されることはない。以上のように、本実施形態によれば、マットセンサ６から呼び出しが行われたことを患者に悟られないようにするとともに、マットセンサ６の使用を開始する際の動作確認を簡単に行うことができる。
【００５３】
なお、上記実施形態では、ハンド形子機５からの呼び出しまたはマットセンサ６からの最初の呼び出しが発生したときに、呼出確認動作制御部１７が呼出確認灯４ｃの点灯を行うように制御する例について説明したが、本発明はこれに限定されない。例えば、呼出確認灯４ｃに変えてスピーカを壁埋込形子機４に設け、呼出確認動作制御部１７は、ハンド形子機５からの呼び出しまたはマットセンサ６からの最初の呼び出しが発生したときに、呼出確認音の出力を行うように壁埋込形子機４を制御するようにしてもよい。
【００５４】
また、上記実施形態では、接続検出部１４、呼出状況管理部１５、呼出判定部１６および呼出確認動作制御部１７の機能をナースコール親機１が備える例について説明したが、制御機２または壁埋込形子機４が備えるようにしてもよい。
【００５５】
また、上記実施形態では、患者状態検出機器としてマットセンサ６を用いる例について説明したが、本発明はこれに限定されない。例えば、患者の離床や徘徊などを検出するための赤外線センサを用いることも可能である。その他、患者の意思による操作によって呼び出しを行うものではなく、患者の状態に応じて呼び出し行うものであれば、何れもマットセンサ６に代えて適用することが可能である。
【００５６】
また、上記実施形態では、壁埋込形子機４が２つの接続端子４ａ，４ｂを備え、それぞれに対してハンド形子機５およびマットセンサ６を接続する例について説明したが、本発明はこれに限定されない。例えば、壁埋込形子機４が１つの接続端子を備え、これに分配器を接続し、分配器が備える２つの接続端子に対してハンド形子機５およびマットセンサ６を接続するようにしてもよい。
【００５７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５８】
１  ナースコール親機（呼出確認動作制御装置）
４  壁埋込形子機
４ｃ  呼出確認灯
５  ハンド形子機（ナースコール子機）
６  マットセンサ（患者状態検出機器）
１１  呼出受付部
１４  接続検出部
１５  呼出状況管理部
１６  呼出判定部
１７  呼出確認動作制御部
【図１】
2020014798.tif 000003
【図２】
2020014798.tif 000004
【図３】
2020014798.tif 000005
【図４】
2020014798.tif 000006